(57)【要約】【課題】片手操作を困難にすることにより室外からの不正操作を確実に防止することのできるサムターン装置の提供を目的とする。【解決手段】錠装置１のデッドボルト操作部２に連結される操作軸３と、  操作軸３に対して回転方向に連結される連結位置と空転位置との間で移動操作自在で、空転位置側に付勢される操作摘み４と、  操作摘み４への操作軸３との連結方向への操作力付与を規制する位置と許容位置との間で移動操作自在で、規制位置側に付勢される操作規制部材５とを有する。【選択図】  図２
2006045895.tif 000002
【特許請求の範囲】
【請求項１】
錠装置のデッドボルト操作部に連結される操作軸と、
操作軸に対して回転方向に連結される連結位置と空転位置との間で移動操作自在で、空転位置側に付勢される操作摘みと、
操作摘みへの操作軸との連結方向への操作力付与を規制する位置と許容位置との間で移動操作自在で、規制位置側に付勢される操作規制部材と、
を有するサムターン装置。
【請求項２】
前記操作規制部材は、規制位置において操作摘みを覆って操作摘みへの連結操作を規制する請求項１記載のサムターン装置。
【請求項３】
前記操作摘みの連結位置方向と、操作規制部材の許容位置への移動操作方向が反対方向である請求項１または２記載のサムターン装置。
【請求項４】
前記操作規制部材は、許容位置において仮保持可能な請求項１、２または３記載のサムターン装置。
【発明の詳細な説明】
【技術分野】
【０００１】
本発明は、サムターン装置に関するものである。
【背景技術】
【０００２】
室外からの不正回転操作を防止するようにしたサムターン装置としては、特許文献１に記載のものが知られている。この従来例において、サムターン装置は既設のサムターンプレートに連結される固定基体に外装回転体を空転、かつ前後移動自在に外嵌して形成される。固定基体と外装回転体とは回転方向に噛合可能であり、外装回転体は、スプリングにより噛合解除方向に付勢される。
【０００３】
サムターンを操作して錠装置を解錠するためには、一旦外装回転体をスプリングの反力に抗して引き出し方向に移動させて固定基体に噛合させる必要があるために、室外から針金等を挿入させて行われるサムターンへの不正操作が不能になる。
【特許文献１】特開２００３-３１４０９７号公報
【発明の開示】
【発明が解決しようとする課題】
【０００４】
しかし、近時、サムターンへの不正操作の事例としては、扉体に開設した穴から片手を入れてサムターンを直接手指により操作するものが発生しており、片手での操作が可能な上記従来例においては、かかる操作を防止することができないという問題がある。
【０００５】
本発明は、以上の欠点を解消すべくなされたものであって、片手操作を困難にすることにより室外からの不正操作を確実に防止することのできるサムターン装置の提供を目的とする。
【課題を解決するための手段】
【０００６】
本発明によれば上記目的は、
錠装置１のデッドボルト操作部２に連結される操作軸３と、
操作軸３に対して回転方向に連結される連結位置と空転位置との間で移動操作自在で、空転位置側に付勢される操作摘み４と、
操作摘み４への操作軸３との連結方向への操作力付与を規制する位置と許容位置との間で移動操作自在で、規制位置側に付勢される操作規制部材５と、
を有するサムターン装置を提供することにより達成される。
【０００７】
サムターン装置は、錠装置１のデッドボルト操作部２に連結される操作軸３と、操作軸３に回転方向に係脱する操作摘み４とを有し、操作摘み４を操作軸３に連結した状態で回転させることにより錠装置１を施解錠操作することができる。操作規制部材５は、操作摘み４を操作軸３と連結する操作を規制する規制位置と、連結操作が可能な許容位置との間で移動し、適宜の付勢手段により規制位置側に付勢される。
【０００８】
初期状態において、上記操作摘み４は、空転位置側に付勢されており、この状態から錠装置１を操作するには、先ず、付勢力に抗して操作規制部材５を許容位置に移動させる。次いで、この状態を保持したまま、操作摘み４を付勢力に抗して連結位置に移動させて操作軸３の回転方向に連結させ、この位置で操作摘み４を回転させる必要がある。
【０００９】
本発明において、錠装置１にアクセスするには、操作規制部材５の許容位置への保持、操作摘み４の連結位置への保持が必要で、いずれも保持力を解除すると、初期位置に復帰して錠装置１へのアクセスが不能になる。この結果、錠装置１の施解錠には、両手による操作が必要となり、例えば片手を室内側に差し込んだ場合においても解錠操作が行われることがない。
【００１０】
操作規制部材５は、例えば規制位置において操作摘み４をロックして移動不能とするなど、種々の手段で操作摘み４への操作を規制することができるが、規制位置において操作摘み４を覆って操作摘み４への連結操作を規制するように構成すると、ロック機構等を要しないために構造が簡単になる。
【００１１】
操作規制部材５と操作摘み４の初期位置は、適宜に決定可能であるが、操作摘み４の連結位置方向と、操作規制部材５の許容位置への移動操作方向を反対方向にした場合には、片手による操作がより困難になる。
【００１２】
また、操作規制部材５が許容位置において仮保持可能にした場合には、例えば在室時には操作規制部材５を仮保持させておき、室内からの操作を容易にすることができる。
【発明の効果】
【００１３】
本発明によれば、片手操作が困難になるために、室外からの不正操作を確実に防止することができる。
【発明を実施するための最良の形態】
【００１４】
図１に鎌錠（錠装置１）を操作するように構成された本発明の実施の形態を示す。鎌錠１は、扉体６の室内側壁面に固定される錠ケース１ａ内に、デッドボルト１ｂと２枚の鎌片１ｃ、１ｃとを収容して形成される。
【００１５】
錠ケース１ａ内には、錠ケース１ａ外部からの操作が可能なデッドボルト操作部２が配置され、該デッドボルト操作部２を操作することにより、鎌錠１を施解錠状態間で遷移させることができる。デッドボルト操作部２は、室内側と室外側の双方からの操作に対応して２個配置され、室外側からはシリンダ錠７により、室内側からは本発明に係るサムターン装置により操作される。
【００１６】
図１（ｂ）に示すように、鎌錠１は、施錠状態において、デッドボルト１ｂが扉枠側に設けられたストライク孔８内に進入するとともに、フック形状の鎌片１ｃがストライク孔８の側縁に係止し、開扉操作を規制する。この状態からデッドボルト操作部２を回転操作すると、図１（ｃ）に示すように、各々の鎌片１ｃは点Ｃ１、Ｃ２を中心に矢印方向に回転するとともに、デッドボルト１ｂは横方向に並進移動して解錠状態に移行する。
【００１７】
図２に示すように、サムターン装置は操作軸３を回転自在に保持するサムターンベース９を錠ケース１ａの室内側壁面に固定して装着される。操作軸３の一端部は鎌錠１のデッドボルト操作部２に止め輪１０を利用して空転不能に連結され、他端にはキャップ部材１１が固定される。キャップ部材１１は操作軸３より大径に形成され、操作軸３からの張り出し部裏面に複数の被係止部３ａが周方向に所定ピッチ角度で設けられる。
【００１８】
上記操作軸３の先端部には、操作摘み４が外嵌される。操作摘み４は先端方に上記キャップ部材１１を空転自在に収容するキャップ収容凹部４ａを備える。キャップ収容凹部４ａの底壁部には、上記キャップ部材１１の被係止部３ａに対峙する係止部４ｂが設けられる。この操作摘み４は、キャップ部材１１との間に介装される圧縮スプリング１２により後方に付勢されており、後方への移動ストロークを規制するために、操作軸３にはキャップ収容凹部４ａの底壁裏面に当接するストッパフランジ３ｂが形成される。
【００１９】
５は上記サムターンベース９に外嵌される筒状の操作規制部材であり、前方に向けて開口される摘み収容凹部５ａ内に上記操作摘み４が収容される。摘み収容凹部５ａは、操作摘み４の全体がほぼ没入する程度の深さ寸法に形成される。この操作規制部材５は、サムターンベース９および操作軸３に対して前後方向に摺動自在であり、サムターンベース９と操作規制部材５との間に介装される圧縮スプリング１３により、操作摘み４側に付勢される。
【００２０】
圧縮スプリング１３による付勢方向の移動終端を規制するために、操作規制部材５には、操作軸３のストッパフランジ３ｂの裏面に衝接するストッパ５ｂが設けられる。この実施の形態において、摘み収容凹部５ａの底壁がストッパ５ｂを兼ねる。
【００２１】
したがってこの実施の形態において、図２に示すように、初期状態においては、操作摘み４の係止部４ｂはキャップ部材１１の被係止部３ａから離れ、操作摘み４が操作軸３に対して空転する空転位置に保持される。同時に、初期状態において、操作規制部材５は、操作摘み４を摘み収容凹部５ａ内に収容する規制位置に保持される。後述するように、錠装置１を操作するためには、操作摘み４を引き出して係止部４ｂを被係止部３ａ係止させる必要があるが、初期状態においては、操作規制部材５に邪魔されて操作摘み４の引き出し操作を行うことができないために、錠装置１の操作を行うことができない。
【００２２】
初期状態から錠装置１を操作するためには、まず、図３（ａ）に示すように、操作規制部材５を摘んで圧縮スプリング１３の付勢力に抗して後方に押し込む。操作規制部材５を許容位置まで後退させると、操作規制部材５により覆われていた操作摘み４は図３（ｂ）に示すように、操作可能な状態まで露出する。この後、図３（ｃ）に示すように、一方の手で操作規制部材５を許容位置に保持した状態で、他方の手の指で操作摘み４を摘んで手前側に引き出す。操作摘み４の前方への移動操作により、操作摘み４に形成された係止部４ｂがキャップ部材１１の被係止部３ａに接近してやがて相互に係合し、この状態で操作摘み４を回転させると、錠装置１のデッドボルト操作部２に回転操作力を伝達することができる。
【００２３】
図４に本発明の他の実施の形態を示す。なおこの実施の形態の説明において、上述した実施の形態と実質的に同一の構成要素は、図中に同一符号を付して説明を省略する。
この実施の形態において、サムターン装置には、操作規制部材仮保持手段１４が設けられる。操作規制部材仮保持手段１４は、サムターンベース９の基端部に装着されるボール１４ａと、ボール１４ａを飛び出し方向に付勢する圧縮スプリング１４ｂと、操作規制部材５の内壁に形成される凹溝１４ｃとから構成される。
【００２４】
使用に際し、図４（ａ）、（ｂ）に示すように、操作規制部材５を押し込むと、ボール１４ａは一旦圧縮スプリング１４ｂの付勢力に抗してサムターンベース９内に没入した後、凹溝１４ｃ内に飛び出し、以後、操作規制部材５は許容位置に保持される。操作規制部材５が許容位置に仮保持されることにより、図４（ｃ）に示すように、以後、操作摘み４への引き出し、回転操作は片手で行うことができるために、在室時等における操作が簡単になる。
【００２５】
また、図４においては、凹溝１４ｃは操作規制部材５の内周全周に形成される場合を示したが、一部に形成しておくこともできる。この場合、操作規制部材５を単に押し込んだだけでは仮保持モードに移行することはなく、押し込み操作後、操作規制部材５を所定角度回転させる必要があるために、外部からの不正操作がしにくくなり、さらに、仮保持モードに移行するための回転位置を操作規制部材５に表示しておくと、在室者による操作も簡単になる。
【図面の簡単な説明】
【００２６】
【図１】錠装置を示す図で、（ａ）は断面図、（ｂ）は施錠状態の（ａ）の１Ｂ方向矢視図、（ｃ）は解錠状態の（ａ）の１Ｂ方向矢視図である。
【図２】本発明の断面図である。
【図３】図２の動作を示す図で、（ａ）は操作開始状態を示す断面図、（ｂ）は操作規制部材を押し込んだ状態を示す断面図、（ｃ）は操作摘みにより錠装置を操作している状態を示す断面図である。
【図４】本発明の第２の実施の形態を示す図で、（ａ）は操作開始状態を示す断面図、（ｂ）は操作規制部材を押し込んだ状態を示す断面図、（ｃ）は操作摘みにより錠装置を操作している状態を示す断面図である。
【符号の説明】
【００２７】
１        錠装置
２        デッドボルト操作部
３        操作軸
４        操作摘み
５        操作規制部材
【図１】
2006045895.tif 000003
【図２】
2006045895.tif 000004
【図３】
2006045895.tif 000005
【図４】
2006045895.tif 000006